(57)【要約】携帯端末機の複合属性制御方法が提供され、携帯端末機の複合属性制御方法は、複合属性制御のための入力信号を受信する段階と、前記入力信号の受信に従って活性化されたアプリケーションプログラムを選択する段階と、前記アプリケーションプログラムに定義された少なくとも１つの複合属性を確認する段階と、前記選択されたアプリケーションプログラムに関連する複数の属性がマトリックスの所定の軸に基づいて配置される属性制御マトリックスインターフェースを出力する段階とを有する。【選択図】    図２
2013542479.tif 000002
【特許請求の範囲】
【請求項１】
複合属性制御のための入力信号を受信する段階と、
前記入力信号の受信に従って活性化されたアプリケーションプログラムを選択する段階と、
前記アプリケーションプログラムに定義された少なくとも１つの複合属性を確認する段階と、
前記選択されたアプリケーションプログラムに関連する複数の属性がマトリックスの所定の軸に基づいて配置される属性制御マトリックスインターフェースを出力する段階とを有することを特徴とする携帯端末機の複合属性制御方法。
【請求項２】
前記属性制御マトリックスインターフェースの所定の領域を指定する信号に従って前記マトリックスの所定の軸に対応する複合属性を同時に制御する段階をさらに有することを特徴とする請求項１に記載の携帯端末機の複合属性制御方法。
【請求項３】
前記制御された複合属性を現在活性化されているアプリケーションプログラムにリアルタイムで適用する段階をさらに有することを特徴とする請求項２に記載の携帯端末機の複合属性制御方法。
【請求項４】
属性制御アイコンを選択する入力信号の発生に従って前記属性制御マトリックスインターフェースを出力する段階と、
前記属性制御マトリックスインターフェースで複合属性が制御された時、制御された複合属性値を指示する前記属性制御アイコンのイメージ表示を変更する段階とをさらに有することを特徴とする請求項２に記載の携帯端末機の複合属性制御方法。
【請求項５】
前記アプリケーションプログラムに定義された複合属性の個数を確認する段階と、
前記複合属性の個数が複数個の場合、前記複数個の複合属性の中から１つを選択することができるメニュー画面を出力する段階と、
前記メニュー画面の選択に従って選択された複合属性を制御することができる属性制御マトリックスインターフェースを出力する段階との少なくともいずれか１つの段階をさらに有することを特徴とする請求項１に記載の携帯端末機の複合属性制御方法。
【請求項６】
前記アプリケーションプログラムがオーディオ信号出力機能を含む使用者機能と関連するアプリケーションプログラムの場合、
前記属性制御マトリックスインターフェースを出力する段階は、
高音と低音の属性制御軸、及び楽器とボーカルの属性制御軸を含む属性制御マトリックスインターフェースを出力する段階と、
高音と低音の属性制御軸、及び場面と音声の制御軸を含む属性制御マトリックスインターフェースを出力する段階の内の少なくとも１つを含み、
前記アプリケーションプログラムがカメラ運用プログラムの場合、
明るさの属性制御軸及びコントラストの属性制御軸を含む属性制御マトリックスインターフェースを出力する段階と、
彩度（ｃｈｒｏｍａ）の属性制御軸及び鮮明度（ｓｈａｒｐｎｅｓｓ）の制御軸を含む属性制御マトリックスインターフェースを出力する段階と、
画質の制御軸及び大きさの制御軸を含む属性制御マトリックスインターフェースを出力する段階と、
ホワイトバランスの制御軸及び電子露出の制御軸を含む属性制御マトリックスインターフェースを出力する段階と、
現在の設定又は入力信号に基づいて変更された複合属性値に従って撮影して格納することができる写真の数量情報領域を出力する段階との内から少なくとも１つを含むことを特徴とする請求項１に記載の携帯端末機の複合属性制御方法。
【請求項７】
複合属性制御のための入力信号を生成する入力部及びタッチパネルの内の少なくとも１つと、
前記入力信号の受信によって活性化されたアプリケーションプログラムに定義された少なくとも１つの複合属性がマトリックスの所定の軸に基づいて配置される属性制御マトリックスインターフェースを出力する表示部とを有することを特徴とする携帯端末機。
【請求項８】
前記属性制御マトリックスインターフェースの所定の領域を指定する信号に従って前記マトリックスの所定の軸に対応する複合属性を同時に制御する制御部をさらに有することを特徴と請求項７に記載の携帯端末機。
【請求項９】
前記制御部は、前記制御された複合属性を現在活性化されているアプリケーションプログラムにリアルタイムで適用することを特徴とする請求項８に記載の携帯端末機。
【請求項１０】
前記表示部は、前記属性制御マトリックスインターフェース呼出のための属性制御アイコンを出力することを特徴とする請求項７に記載の携帯端末機。
【請求項１１】
前記表示部は、前記属性制御アイコンを選択する入力信号の発生に従って前記属性制御マトリックスインターフェースを出力することを特徴とする請求項１０に記載の携帯端末機。
【請求項１２】
前記制御部は、前記属性制御マトリックスインターフェースで複合属性が制御された時、制御された複合属性値を指示する前記属性制御アイコンのイメージ表示を変更することを特徴とする請求項１０に記載の携帯端末機。
【請求項１３】
前記制御部は、前記アプリケーションプログラムに定義された複合属性の個数を確認し、前記確認された複合属性の個数が複数個の場合、複数個の複合属性の内から１つを選択することができるメニュー画面を前記表示部に出力するように制御することを特徴とする請求項７に記載の携帯端末機。
【請求項１４】
前記表示部は、前記メニュー画面で特定の複合属性が選択されれば、選択された複合属性を制御することができる属性制御マトリックスインターフェースを出力することを特徴とする請求項１３に記載の携帯端末機。
【請求項１５】
前記表示部は、前記アプリケーションプログラムがオーディオ信号出力機能を含む使用者機能と関連するアプリケーションプログラムの場合、
高音と低音の属性制御軸、及び楽器とボーカルの属性制御軸を含む属性制御マトリックスインターフェースと、
高音と低音の属性制御軸及び場面と音声制御軸を含む属性制御マトリックスインターフェースの内から少なくとも１つを出力し、
前記アプリケーションプログラムがカメラ運用プログラムの場合、
明るさの属性制御軸及びコントラストの属性制御軸を含む属性制御マトリックスインターフェースと、
彩度（ｃｈｒｏｍａ）の属性制御軸及び鮮明度の調整軸を含む属性制御マトリックスインターフェースと、
画質の制御軸及び大きさの制御軸を含む属性制御マトリックスインターフェースと、
ホワイトバランスの制御軸及び電子露出の制御軸を含む属性制御マトリックスインターフェースと、
現在の設定又は入力信号に基づいて変更された複合属性値に従って撮影して格納することができる写真の数量情報を出力する画面との内から少なくとも１つを出力することを特徴とする請求項７に記載の携帯端末機。
【発明の詳細な説明】
【技術分野】
【０００１】
本発明は、携帯端末機に関し、特に携帯端末機の使用者インターフェースに関する。
【背景技術】
【０００２】
携帯端末機は、急速な技術発展によって初期の単純な音声通話及び短文メッセージ送信機能に加えて画像通話、電子手帳機能、インターネット機能等のように多様な機能を備えるようになった。
そして、携帯端末機は多様な機能支援のためにより発展した形態のハードウェアとソフトウェアを用いている。すなわち、従来の携帯端末機は高い処理能力を有するハードウェアを基盤として多様なアプリケーションプログラムを行うように支援している。
【０００３】
このような従来の携帯端末機はそれぞれのアプリケーションプログラムを行うことにおいて多様な属性値に基づいて運用される。例えば、従来の携帯端末機は使用者の趣向や嗜好に合うように制御（調整）可能な特定の属性を含み、使用者は音楽ファイル再生のためのアプリケーションプログラム活性化の際、音楽ファイルのオーディオ信号を使用者の趣向や嗜好に合うように特定の属性を制御（調整）することができる。
例えば、携帯端末機があらかじめ多様な音場効果の属性値を有しており、使用者はこの属性値の中で自分の再生しようとする音楽ファイルのオーディオ信号と類似であると思うとか使用者の趣向に合うように選択する制御（調整）を通じて携帯端末機を利用して使用者自らが聞こうとする趣向の音楽を選択的に聴取することができる。
【０００４】
ところが、使用者が選択可能な音場属性は、音楽ファイルが一般的に含んでいるタグ情報のジャンル属性を一般化するとか使用者の期待効果を予測して一般化した汎用属性値を示す。
したがって、使用者の属性制御（調整）は、実際に音楽ファイルのオーディオ信号が表現する細部的な表現値と使用者別に一般化することができない個人の嗜好を極めて一般化した属性値に対する選択なので使用者が所望の属性値に対する細部的な選択が難しいという問題点がある。
また、従来の使用者属性調節は属性値をより細部化しても個別的に調整すべき煩わしさによって高級使用者ではない一般使用者としては属性値変更が易しくできない問題点があった。
【発明の概要】
【発明が解決しようとする課題】
【０００５】
したがって、本発明の目的は前述したように従来技術の問題点を解決するためのもので、携帯端末機のアプリケーションプログラム活性化に従い当該のアプリケーションプログラムに適用される多様な属性を使用者が容易に認知して選択するように支援する携帯端末機の複合属性制御方法及びこれを支援する携帯端末機を提供することにある。
そして、本発明の目的は使用者が使用者属性制御をより複合的で、かつ容易く変更認識するようにする使用者インターフェースを支援することができる携帯端末機の複合属性制御方法及びこれを支援する携帯端末機を提供することにある。
【課題を解決するための手段】
【０００６】
本発明の一態様によれば、携帯端末機の複合属性制御方法は、複合属性制御のための入力信号を受信する段階と、前記入力信号の受信に従って活性化されたアプリケーションプログラムを選択する段階と、前記アプリケーションプログラムに定義された少なくとも１つの複合属性を確認する段階と、前記選択されたアプリケーションプログラムに関連する複数の属性がマトリックスの所定の軸に基づいて配置される属性制御マトリックスインターフェースを出力する段階とを有することを特徴とする。
【０００７】
また、本発明の他の一態様によれば、携帯端末機は、複合属性制御のための入力信号を生成する入力部及びタッチパネルの内の少なくとも１つと、前記入力信号の受信によって活性化されたアプリケーションプログラムに定義された少なくとも１つの複合属性がマトリックスの所定の軸に基づいて配置される属性制御マトリックスインターフェースを出力する表示部とを有することを特徴とする。
【発明の効果】
【０００８】
本発明に係る携帯端末機の複合属性制御方法及びこれを支援する携帯端末機によれば、使用者は特定のアプリケーションプログラムに定義された属性を複合的に制御することができるので、より早く、かつ便利な属性を制御することができる。
また、本発明は調整された属性の効果をより早く認識することができるので、携帯端末機運用をより容易にすることができる。
【図面の簡単な説明】
【０００９】
【図１】本発明の一実施形態による携帯端末機の構成を概略的に示すブロック図である。
【図２】本発明の一実施形態による複合属性制御方法を説明するためのフローチャートである。
【図３】本発明の一実施形態によるオーディオ複合属性制御を説明するための画面例示図である。
【図４】本発明の一実施形態によるオーディオ複合属性制御を説明するための画面例示図である。
【図５】本発明の一実施形態によるオーディオ複合属性制御の他の例を説明するための画面例示図である。
【図６】本発明の一実施形態による画面複合属性制御を説明するための画面例示図である。
【図７】本発明の一実施形態による画面複合属性制御の他の例を説明するための画面例示図である。
【図８】本発明の一実施形態によるカメラ複合属性制御を説明するための画面例示図である。
【図９】本発明の一実施形態によるカメラ複合属性制御の他の例を説明するための画面例示図である。
【図１０】本発明の一実施形態による複数個の複合属性の制御を説明するための画面例示図である。
【発明を実施するための形態】
【００１０】
以下、本発明の実施形態を添付した図面に基づいて詳細に説明する。
実施形態を説明することにおいて本発明が属する技術分野によく知られており、本発明と直接的に関連がない記述内容に対しては説明を省略する。また、実質的に同様の構成と機能を有する構成要素に対しては詳細な説明を省略する。
【００１１】
同様の理由で、添付図面において一部構成要素は誇張されるとか省略されるとか又は概略的に図示され、各構成要素の大きさは実際の大きさを全面的に反映するものではない。したがって、本発明は添付した図面に示した相対的な大きさや間隔によって制限されない。
【００１２】
図１は、本発明の一実施形態による携帯端末機の構成の中で本願発明の複合属性制御と関連される一部構成のみを示すブロック図である。
図１を参照すると、本発明の携帯端末機１００は、無線周波数部１１０、入力部１２０、オーディオ処理部１３０、表示部１４０、貯蔵部１５０、カメラ１７０、及び制御部１６０の構成を含む。
【００１３】
ここで携帯端末機１００のカメラ１７０の構成は、本願発明のアプリケーションプログラムの複合属性制御を説明するために追加した構成として、カメラ１７０の構成が除去された端末機であるとしても、本願発明の複合属性技術は他のアプリケーションプログラムに適用することができることを理解すべきであろう。
【００１４】
このような構成を有する本発明は、携帯端末機１００の各構成の運用のために必要なアプリケーションプログラムを貯蔵部１５０からロードして活性化する工程で、当該のアプリケーションプログラムに定義された属性を複合的に制御（調整）するように支援することができる。
このために携帯端末機１００は、複合属性制御のための使用者インターフェース及び特定メニュー画面を提供する。
以下、携帯端末機１００の各構成に対してより詳細に説明する。
【００１５】
無線周波数部１１０は、音声通話のための通信チャンネル形成及び画像通話のための通信チャンネル形成、画像やメッセージ等のデータ送信のための通信チャンネル形成等を制御部１６０の制御下で遂行する。すなわち、無線周波数部１１０は音声通話チャンネル、データ通信チャンネル、及び画像通話チャンネルを移動通信システムの間に形成する。
このために無線周波数部１１０は、送信する信号の周波数を上昇変換及び増幅する無線周波数送信部と、受信される信号の周波数を低雑音増幅及び下降変換する無線周波数受信部等を含む。
【００１６】
このような無線周波数部１１０は、形成されたチャンネルを通じてデータを受信することができ、受信されたデータは、制御部１６０の制御によって表示部１４０に出力することができる。また、無線周波数部１１０は、使用者の制御下で外部から多様なデータを受信し、制御部１６０の制御下で上記データを貯蔵部１５０に伝達することができる。
特に無線周波数部１１０が通話機能に基づいて運用される場合、携帯端末機１００は通話機能と関連する属性を複合的に制御するように支援する。
【００１７】
すなわち、携帯端末機１００は無線周波数部１１０に基づいて音声通話チャンネルが形成される場合、音声通話パネルで送受信される音声の特定属性、例えば、高音（Ｔｒｅｂｌｅ）−低音（Ｂａｓｓ）属性と背景音処理属性等を複合的に遂行するように上述した属性が特定の座標軸を形成する属性制御マトリックスインターフェースを表示部１４０に出力するように制御することができる。
【００１８】
ここで高音属性は、オーディオ信号の中で相対的に高い周波数である高音に対する処理を意味し、低音より細密に制御するとか、高音の音量をさらに割り当てることを意味する。
同様に、低音属性は、高音属性と反対にオーディオ信号の中で相対的に低い周波数帯域の音を細密に処理するとか、又は追加音量割当を通じて低音の加重値を高めることを意味する。
背景音処理属性又は場面属性は、オーディオ信号の中で通話者との会話と相違する背景音楽や音等に対してより高い加重値を付与して当該のオーディオ信号を使用者がより明確でよく聞くことができるように支援する属性である。
一方、携帯端末機１００は，無線周波数部１１０に基づいて画像通話（ビデオ通話）チャンネルが形成される場合、画像の品質と関連する属性、例えば画像の大きさと鮮明度（ｓｈａｒｐｎｅｓｓ）、画像の明るさと陰影等に関連する属性を同時に複合的に制御することができる属性制御マトリックスインターフェースを表示部１４０に出力するように制御する。
【００１９】
入力部１２０は、数字又は文字情報の入力を受けて各種機能を設定するための複数の入力キー及び機能キーを含む。
機能キーは、特定機能を遂行するように設定された方向キー、サイドキー及び短縮キー等を含むことができる。また、入力部１２０は、使用者設定及び携帯端末機１００の機能制御と関連して入力されるキー信号を生成して制御部１６０に伝達する。
特に、入力部１２０は、属性制御マトリックスインターフェース呼出のための入力信号を生成することができ、属性制御マトリックスインターフェースが呼出されて当該画面が表示部１４０に出力された状態で使用者の制御によって特定の複合属性値指定のための入力信号を生成することができる。入力部１２０は、上述した入力信号を生成して制御部１６０に伝達する。
【００２０】
オーディオ処理部１３０は、画像通話又は音声通話の際、送受信されるオーディオデータ、音楽ファイルや動画像ファイルのオーディオデータ等を再生するためのスピーカー（ＳＰＫ）と、画像通話の際、使用者の音声又はその他オーディオ信号を収集するためのマイク（ＭＩＣ）を含む。
オーディオ処理部１３０で出力されるオーディオデータは、属性制御マトリックスインターフェースで指定された属性値をリアルタイムで反映させることができ、これによって使用者は、属性値制御のための動作を通じて現在出力されているオーディオデータの属性値がどのように変化するかをすぐに認識することができる。
【００２１】
表示部１４０は、携帯端末機１００の各種メニューを始め、使用者が入力した情報又は使用者に提供する情報を表示する。
すなわち、表示部１４０は、携帯端末機１００の利用による多様な画面、例えば待機画面、メニュー画面、メッセージ作成画面、通話画面、携帯端末機の終了画面、携帯端末機のブーティング（ｂｏｏｔｉｎｇ）画面等を提供する。
このような表示部１４０は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）等の平板表示パネルの形態に形成することができる。
【００２２】
上述した表示部１４０は、表示パネル１４１とタッチパネル１４３を含んで構成することもできる。
特に表示部１４０の中、表示パネル１４１には本発明の属性制御マトリックス画面が出力され、タッチパネル１４３はマトリックス画面に対応するように領域設定がなり、表示部１４０は、属性制御マトリックスインターフェースを構成することができる。
上述した表示部１４０に出力される属性制御マトリックスインターフェースに対しては図３〜図９を参照してより詳細に後述する。
【００２３】
表示パネル１４１は、タッチパネル１４３の上部又は下部に配置され、貯蔵部１５０に貯蔵されたイメージを出力することができる。そして表示パネル１４１は外部から受信されたデータを画面に出力することができる。また、表示パネル１４１は外部から受信されたメッセージを画面に出力することもできる。
表示パネル１４１に出力される多様な画面は、貯蔵部１５０に予め貯蔵された画面イメージから構成することができる。
【００２４】
特に本発明の表示パネル１４１は、現在活性化されているアプリケーションプログラムに対応する画面を出力する。
アプリケーションプログラムに対応して表示パネル１４１に出力される画面の一側には属性制御マトリックスインターフェース呼出のための属性制御アイコンがデフォルトで、又は使用者の制御によって出力することができる。
属性制御アイコンが選択されるか又は活性化される場合、表示パネル１４１は現在活性化されているアプリケーションプログラムの多様な属性制御のための属性制御マトリックスインターフェースを出力することができる。
【００２５】
この時、表示パネル１４１は、アプリケーションプログラムの多様な属性の中で複合属性に調整されるように設定された属性が複数個の場合、特定の複合属性を使用者が選択するように複合属性に対応する項目を有するメニュー画面を出力することができる。
ここで複合属性に対応する項目は、リスト形態で出力するとか、アイコン形態で出力することができる。
すなわち、表示パネル１４１は、特定のアプリケーションプログラムに定義された属性の中からいくつかの属性を統合した複合属性を選択するように支援するメニュー画面と、  特定の複合属性の選択に従って当該複合属性制御のための属性制御マトリックス画面を出力することができる。
ここでアプリケーションプログラムに定義された複合属性が１つだけ存在する場合、表示パネル１４１は、複合属性選択のためのメニュー画面出力を省略することができる。
【００２６】
タッチパネル１４３は、表示パネル１４１の上部又は下部に配置され、使用者のタッチ動作によるタッチイベントを生成し、生成されたタッチイベントを制御部１６０に伝達する。
このようなタッチパネル１４３は、多様な方式、例えば抵抗膜方式又はキャパシタ方式等で具現が可能である。
タッチパネル１４３は、表面で発生した圧力又は物体の接近によって発生する信号と、信号が発生した位置情報を収集し、収集された情報を制御部１６０に伝達して表面でどんな形態でタッチイベントが発生したかどうかを感知することができる。
【００２７】
特にタッチパネル１４３は、属性制御マトリックス画面が表示パネル１４１に出力されれば、当該マトリックス領域に対応する領域単位で各パネルの領域を区分するように領域分割を遂行することができる。以後、領域分割されたタッチパネル１４３上の特定位置でタッチイベントが発生すれば、制御部１６０はタッチパネル１４３から伝達されたタッチイベントに従って表示パネル１４１のマトリックス画面領域値を複合属性の制御値として認識し、それに従って複合属性の適用工程を遂行することができる。
【００２８】
貯蔵部１５０は、本発明の実施形態による機能動作に必要なアプリケーションプログラムを始め、表示部１４０に出力される画面イメージ等を貯蔵して表示部１４０がタッチスクリーンから構成される場合、タッチスクリーン運用のためのキーマップやメニューマップ、タッチロック部分解除領域に対する情報等を貯蔵することができる。
ここでキーマップ、メニューマップは、それぞれ多様な形態になることができる。すなわち、キーマップはキーボードマップや、３＊４キーマップ、クウォーティーキー（ｑｗｅｒｔｙ  ｋｅｙ）マップ等にすることができ、現在活性化されているアプリケーションプログラムの運用制御のための制御キーマップになることもできる。
また、メニューマップは、現在活性化されているアプリケーションプログラム運用制御のためのメニューマップになることもできる。このような貯蔵部１５０は大きくプログラム領域とデータ領域を含むことができる。
【００２９】
プログラム領域は、携帯端末機１００のブーティング及び上述した各構成の運用のためのオペレーティングシステム（ＯＳ、Ｏｐｅｒａｔｉｎｇ  Ｓｙｓｔｅｍ）、多様なアプリケーションプログラム、例えば携帯端末機１００の通話機能支援のためのアプリケーションプログラム、インターネットサーバーに接続するためのウェブブラウザー、その他音源を再生するためのＭＰ３アプリケーションプログラム、写真等を再生するためのイメージ出力アプリケーションプログラム、動画像再生アプリケーションプログラム、カメラ運用プログラム等を貯蔵することができる。特に、本発明のプログラム領域は、複合属性制御プログラム１５１を貯蔵することができる。
【００３０】
複合属性制御プログラム１５１は、携帯端末機１００がターンオン（ｔｕｒｎ−ｏｎ）された後、特定のアプリケーションプログラムが活性化されれば、特定のアプリケーションプログラムの複合属性制御のための機能を支援するルーチンを含む。
すなわち、複合属性制御プログラム１５１は、表示部１４０の一側に属性制御マトリックスインターフェース呼出のための属性制御アイコンを出力するように制御するルーチン、属性制御アイコン選択によって現在活性化されているアプリケーションプログラムの複合属性を確認するルーチン、複合属性が複数個の場合、複合属性の中で特定の複合属性選択のためのメニュー画面を出力するルーチン、複合属性が単数個であるとかメニュー画面で特定の複合属性が選択された場合、当該複合属性に対応する属性制御マトリックスインターフェースを出力するルーチン、属性制御マトリックスインターフェースが出力された状態で発生する入力信号又はタッチイベントによって特定の複合属性制御値を取得し、取得された複合属性制御値を現在活性化されているアプリケーションプログラムに適用するルーチン、制御された複合属性値によって属性制御アイコンのイメージを変更するように制御するルーチンを含むことができる。
【００３１】
データ領域は、携帯端末機１００の使用によって発生するデータが貯蔵される領域として、フォンブック（ｐｈｏｎｅｂｏｏｋ）データ、ウィジェット機能による少なくとも１つのアイコン及び多様なコンテンツを貯蔵することができる。
特にデータ領域は、携帯端末機１００の多様なアプリケーションプログラム活性化を支援するための多様なデータが貯蔵されることができる。
例えば、携帯端末機１００に音楽ファイル再生プログラムが存在する場合、データ領域には使用者の制御によって音楽ファイルを貯蔵することができる。またデータ領域は、イメージファイル、動画像ファイル等も貯蔵することができる。このようなファイルはプログラム領域に貯蔵されたアプリケーションプログラム活性化によって呼出されて該当のアプリケーションプログラム制御によってオーディオ信号又はビデオ信号を生成及び出力するように支援する。
【００３２】
カメラ１７０は、使用者の制御によって特定の被写体に対する画像を収集する機能を提供する。
このためにカメラ１７０は、光学的信号を電気的信号に変換するカメラセンサー、アナログビデオ信号をデジタルビデオ信号に変換する画像処理装置（Ｉｍａｇｅ  Ｓｉｇｎａｌ  Ｐｒｏｃｅｓｓｏｒ）及び画像処理装置で出力されるビデオ信号を制御部１６０に伝達する。
ここでカメラセンサーは、ＣＣＤ（Ｃｈａｒｇｅ−ｃｏｕｐｌｅｄ  Ｄｅｖｉｃｅ）センサー又はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサー等が使用することができ、画像処理装置は構成が省略され、ＤＳＰによって具現することもできる。
【００３３】
このようなカメラ１７０の設定制御は、使用者の制御によって活性化が選択された場合、貯蔵部１５０に貯蔵されたカメラアプリケーションプログラムが制御部１６０にロードされてカメラ１７０の多様な設定を制御する。
この時、制御部１６０は，カメラ１７０と関連する予め貯蔵された設定値が存在する場合、当該設定値によってカメラ１７０環境を自動セッティングするように制御する。
特に制御部１６０は、カメラ１７０の多様な属性定義を、より簡便に支援するためにカメラ１７０の属性を複合的に制御することができる属性制御マトリックスインターフェースを表示部１４０に出力するように制御する。
【００３４】
これによって使用者は、例えばカメラ１７０の明るさとコントラスト、彩度と鮮明度、画質と大きさ、ホワイトバランスとＥＶ等を同時に制御することができる。
ここでカメラ１７０の複合属性の調整のために上述した複合属性中のいずれか１つを使用者が選択して制御するように複合属性に対応する項目を含むメニュー画面を出力することもできる。
一方、カメラ１７０は、携帯端末機１００が当該の機能を支援しない場合、省略することができる構成である。
【００３５】
制御部１６０は、携帯端末機１００の各構成への電源供給を制御して各構成の初期化工程を遂行するように制御する。
そして制御部１６０は、本発明の実施形態による複合属性制御のための多様な画面支援及び信号処理を遂行する。
これをより詳細に説明すれば、制御部１６０は携帯端末機１００の電源供給時、ブーティングを完了して予め設定されたスケジュール情報によって特定のアプリケーションプログラム活性化による画面、例えば、背景画面を出力することができる。
この時、制御部１６０は背景画面属性を複合的に変更することができる機能支援のために属性制御アイコンを画面の一側に出力するように制御することができる。
【００３６】
そして、使用者が当該属性制御アイコンを選択する場合、制御部１６０は背景画面のために定義された複合属性、例えば明るさとコントラストを同時に調節することができる属性制御マトリックスインターフェースを表示部１４０に出力するように制御する。
以後、制御部１６０は、使用者が生成する入力信号又はタッチイベントによって選択された複合属性調整値に基づいて背景画面の明るさとコントラストを同時に調節するように制御する。
制御部１６０は、背景画面だけではなく多様な携帯端末機１００の使用者機能、例えばオーディオファイル再生機能、動画ファイル再生機能、カメラ機能等の複合属性制御を制御することができる。このような機能の複合属性制御の説明は後述する画面例示図を参照してより詳細に説明する。
【００３７】
以上、説明したように本発明の実施形態による複合属性制御を支援する携帯端末機１００はアプリケーションプログラムによって支援される特定の使用者機能の属性を複合的に制御して、より直観的でかつ便利に遂行するように支援する。
以下では携帯端末機１００に基づいて運用される本発明の複合属性制御方法に対して図２を参照してより詳細に説明する。
【００３８】
図２は、本発明の一実施形態による複合属性制御方法を説明するためのフローチャートである。
図２を参照すると、本発明の複合属性制御方法は、先ず使用者が携帯端末機１００に電源を供給するための動作を遂行する。
【００３９】
電源供給のために使用者は、携帯端末機１００のバッテリー又は充電器を接続して電源供給のための入力信号を生成する。
一方、携帯端末機１００は電源が供給されれば、Ｓ２０１段階のように供給された電源を用いて携帯端末機１００の各構成の運用に必要な電源を生成し、生成された電源を用いて各構成を初期化すると共にブーティングを遂行する。
【００４０】
ブーティング工程が完了すれば、携帯端末機１００は、Ｓ２０３段階のように予め設定されたスケジュール情報による機能を遂行し、当該機能遂行による画面を表示部１４０に表示するように制御する。
例えば、携帯端末機１００は予め設定されたスケジュール情報によって背景画面を構成するアプリケーションプログラムを活性化し、当該アプリケーションプログラムの活性化によって背景画面を表示部１４０に出力するように制御する。
ここで携帯端末機１００は、予め設定されたスケジュール情報によってカメラ機能支援のためのアプリケーションプログラムを活性化することもでき、これによってカメラ機能活性化によるプレビュー画面を表示部１４０に出力することもできる。
すなわち、予め設定されたスケジュール情報は、携帯端末機１００が支援可能な使用者機能の中で少なくとも１つの使用者機能を活性化させるように構成された情報を含む。
【００４１】
以下では、説明の便宜のためにＳ２０３段階では音楽ファイル再生プログラム活性化によって音楽ファイル再生プレーヤーに対応する画面が表示部１４０に出力されることを代表として説明する。
すなわち、携帯端末機１００は、Ｓ２０３段階で音楽ファイル再生プレーヤーを活性化し、それに対応する画面を表示部１４０に出力し、事前登録された音楽ファイルを設定されたスケジュールによって活性化し、当該音楽ファイルに対応するオーディオ信号をオーディオ処理部１３０を通じて出力していることを仮定する。
【００４２】
次に、携帯端末機１００は、Ｓ２０５段階で複合属性制御モードに進入するか否かを確認する。
このために携帯端末機１００は、Ｓ２０３段階で複合属性制御モード進入のために属性制御アイコンを画面の一側に出力するように制御することができる。それにより、携帯端末機１００は、Ｓ２０５段階で複合属性制御モード進入のために属性制御アイコンを選択する入力信号又はタッチイベントが発生したか否かを確認するように制御する。
この工程で携帯端末機１００は、別途の複合属性制御モード進入のための入力信号又はタッチイベントの発生がない場合、Ｓ２０７段階に分岐して当該機能、例えばＳ２０３段階で遂行されていたスケジュール情報による機能遂行を維持するとか、受信された入力信号又はタッチイベントによって携帯端末機１００の使用者機能を遂行するように制御する。
すなわち、携帯端末機１００は、入力信号又はタッチイベントによって、例えば、音楽ファイル再生機能終了を遂行して背景画面出力機能を遂行するとか、メニュー画面出力機能等を遂行することができる。
【００４３】
一方、Ｓ２０５段階で複合属性制御モード進入のための入力信号又はタッチイベントが発生すれば、携帯端末機１００は、Ｓ２０９段階に分岐して音楽ファイル再生プレーヤーの複合属性制御のためのマトリックスインターフェースを出力するように制御する。
ここでＳ２０５段階からＳ２０９段階に分岐する以前に携帯端末機１００は現在活性化されている音楽ファイル再生プレーヤーに定義された複合属性が複数個なのか否かを確認し、単数個の場合、Ｓ２０５段階からＳ２０９段階にすぐ進入することができる。
【００４４】
しかし、複合属性が複数個の場合、携帯端末機１００は、上述したように複合属性中のいずれか１つの複合属性を選択することができるメニュー画面を表示部１４０に出力するように制御する。
以後、使用者が特定の複合属性を選択する入力信号又はタッチイベントを生成すれば、携帯端末機１００は、Ｓ２０９段階に分岐して選択された特定複合属性制御のためのマトリックスインターフェースを出力するように制御する。
【００４５】
ここで属性制御マトリックスインターフェースに対して簡略に説明すると、属性制御マトリックスインターフェースは、複数個の属性がマトリックスの特定位置、例えばマトリックスの横縦中心軸上に配置されて仮想の軸を成し、仮想の軸によって分割された特定領域に各軸に当該する属性の変化値を任意に定義したものである。
これによってマトリックスインターフェース上で使用者が特定の位置地点を選択する場合、属性制御マトリックスインターフェースは、該当の位置地点に対応する軸の属性値を複合的に制御し、それによる複合属性制御値を制御部１６０に伝達する。
【００４６】
一方、Ｓ２０９段階以後の携帯端末機１００は、Ｓ２１１段階で複合属性の制御値選択が完了したのか否かを確認する。
この工程で複合属性制御が完了しない場合、Ｓ２０９段階以前に分岐して以下の工程を繰り返し遂行するように制御する。
そして、Ｓ２１１段階で複合属性調整完了を指示する入力信号又はタッチイベントが発生すれば、携帯端末機１００は、Ｓ２１３段階に分岐して端末機の終了をするか否かを確認する。
そして、携帯端末機１００は、Ｓ２１３段階で端末機の終了のための別途の入力信号発生がない場合、携帯端末機１００はＳ２０３段階以前に分岐して以下の工程を繰り返し遂行しながら、現在活性化されている音楽ファイル再生プレーヤーの属性を複合的に制御するように支援することができる。
【００４７】
ここで携帯端末機１００の特定のアプリケーションプログラムに定義された複合属性は、設計者によって複合属性に定義するか、使用者によって新たに設定又は既存設定の変更を支援することができる。
このために携帯端末機１００は、特定アプリケーションプログラムの属性を複合属性を統合するか、複合属性を個別属性に再定義することができるように属性制御のための設定画面を支援することができる。
それにより使用者は、属性制御のための設定画面を通じて特定アプリケーションプログラム、例えば音楽ファイル再生プレーヤーに定義された属性を複合属性を統合するか、以前に複合属性に定義された値を個別属性に再定義することができる。
【００４８】
以上、説明したように、本発明の実施形態による複合属性制御方法は、特定アプリケーションプログラムに定義された少なくとも１つの複合属性に基づいて属性を複合的に制御することによって、使用者による属性制御をより早く、かつ容易にすることができるように支援する。
以下では上述した属性制御マトリックスインターフェースに対して多様な画面例示図を参照してより詳細に説明する。
【００４９】
図３及び図４は、本発明の一実施形態によるオーディオ複合属性制御を説明するための画面例示図である。
図３及び図４を参照すると、本発明のオーディオ複合属性制御のために表示部１４０は先ず使用者が携帯端末機１００を制御して貯蔵部１５０に貯蔵された音楽ファイルを再生するように制御するとか、ウェブサーバー又は他の携帯端末機から音楽ファイルの受信を受けて再生するように制御する場合、符号３０１の画面のように当該音楽ファイル再生のための画面を出力する。
【００５０】
この時、表示部１４０は、図に示すように音楽ファイルとリンクされているとか又は音楽ファイルと共に貯蔵されたアルバム画面を表示部１４０に出力するイメージ領域３１と、音楽ファイルの再生制御のための制御キーマップが出力される制御キーマップ領域３３、現在再生されている音楽ファイル関連情報を出力する情報出力領域３５を含むことができる。
【００５１】
符号３０１の画面が出力された状態において、使用者が本発明による複合属性制御を遂行しようとする場合、使用者は、符号３０３の画面のように属性制御アイコン３０ａが含まれた画面が出力されるように制御する。
例えば、使用者は、符号３０１の画面で表示部１４０のイメージ領域３１のうち特定領域をタッチするとか、それに対応する入力信号を生成するように携帯端末機１００を制御する。それにより携帯端末機１００は、符号３０３の画面のように画面の一側に属性制御アイコン３０ａが出力されるように制御する。
この時、携帯端末機１００は、図に示すように現在再生されている音楽ファイルを一時停止するように制御することができる。また、携帯端末機１００は、別途の一時停止機能を遂行しなく属性制御アイコン３０ａを含む画面が構成されるように制御することもできる。属性制御アイコン３０ａは、現在設定された複合属性値を示すように構成される。
【００５２】
一方、符号３０３の画面で属性制御アイコン３０ａを選択するための入力信号又はタッチイベントが生成すれば、携帯端末機１００は、符号３０５の画面のように複合属性制御を遂行することができる属性制御マトリックスインターフェース３２を表示部１４０に出力するように制御する。
符号３０５の画面で携帯端末機１００は、高音（Ｔｒｅｂｌｅ）と低音（Ｂａｓｓ）調節及び楽器（Ｉｎｓｔｒｕｍｅｎｔ）とボーカル（Ｖｏｃａｌ）属性を一度に調整することができる属性制御マトリックスインターフェース３２を表示部１４０に出力する。
そして、携帯端末機１００は現在活性化されているアプリケーションプログラムの複合属性状態を属性制御マトリックスインターフェース３２上に表示するように制御する。すなわち、携帯端末機１００は属性制御マトリックスインターフェース３２上で現在設定された複合属性状態領域３６を他の領域と相違するように表現することによって、現在設定された複合属性状態を示すことができる。
【００５３】
符号３０５の画面で使用者が楽器と低音を高音とボーカルに比べて相対的に強調するために特定領域をタッチする。それにより携帯端末機１００は、符号３０７の画面のように複合属性状態領域３６は楽器と低音をより強調する領域に設定して属性を複合的に制御するように支援する。
ここで携帯端末機１００は、符号３０１の画面で再生された音楽ファイルを持続的に再生することができるが、携帯端末機１００は属性値の変化を現在再生されている音楽ファイルにリアルタイムで適用して楽器と低音が強調されたオーディオ信号がオーディオ処理部１３０を通じて出力されるように制御する。
【００５４】
一方、符号３０５の画面〜符号３０９の画面で、携帯端末機１００は、オーディオ属性変化のオプションとして画面の一側に特定オーディオ効果、例えば、「Ａｍｂｉｅｎｃｅ」効果を設定することができるオプション領域３４を提供することができる。
それにより使用者は、「Ａｍｂｉｅｎｃｅ」オプションが「ｏｆｆ」状態の場合、特定入力信号を生成して当該領域の属性を符号３０９の画面のように「ｏｎ」状態に変更することができる。
【００５５】
符号３０９の画面で複合属性調整及びオーディオオプション効果設定が完了して使用者が完了に対応する入力信号又はタッチイベントを生成すれば、携帯端末機１００は複合属性及びオーディオオプション効果が適用された状態でオーディオ信号を出力するように制御し、符号３１１の画面のように現在活性化されている音楽ファイルと関連するイメージ領域３１、制御キーマップ領域３３、情報出力領域３５を含む画面を表示部１４０に出力するように制御する。
この時、携帯端末機１００は、符号３１１の画面で属性制御アイコン３０ｂを画面の一側に出力することができるが、属性制御アイコン３０ｂは変更された複合属性制御値が表示されたイメージを示すことができる。すなわち、符号３０３の画面と比べて属性制御アイコン３０ｂは複合属性設定値を示す複合属性状態領域３６の位置が相違するように表示する。言い換えれば、属性制御マトリックスインターフェース３２上で複合属性が制御される場合、属性制御アイコン３０ｂが示すイメージは複合属性が制御されたことを示すために変化させることができる。
【００５６】
図５は、本発明の一実施形態によるオーディオ複合属性制御の他の例を説明するための画面例示図である。
図５を参照すると、携帯端末機１００は、動画像ファイルを再生する動画像画面領域４１と、動画像再生制御キー領域４３及び属性制御アイコン４０が出力される表示部１４０を構成する。
【００５７】
これをより詳細に説明すれば、使用者は携帯端末機１００の貯蔵部１５０に貯蔵された動画像ファイルを選択して活性化するように制御するとか、ウェップサーバー、放送局、他の携帯端末機等から受信される動画像ファイルの受信を受けて再生するように制御する。
それにより携帯端末機１００は、使用者の制御によって当該動画像ファイルを再生し、動画像画面領域４１を表示部１４０に出力するように制御する。
一方、動画像画面領域４１が表示部１４０全体に出力された状態で、使用者は動画像再生制御を遂行しようとするとか、複合属性制御を遂行しようとするとか、に対応する入力信号又はタッチイベントを生成する。
それにより携帯端末機１００は、符号４０１の画面のように現在活性化されている動画像を一時停止するように制御するとか又は動画像を継続再生するように制御する一方、図に示すように再生制御キー領域４３及び属性制御アイコン４０を画面の一側に出力するように制御することができる。
【００５８】
符号４０１の画面の状態で使用者が属性制御アイコン４０を選択するための入力信号又はタッチイベントを生成すれば、携帯端末機１００は、符号４０３の画面のように属性制御マトリックスインターフェース４２を表示部１４０に出力するように制御する。
ここで属性制御マトリックスインターフェース４２は動画像ファイルに含まれたオーディオファイルの複合属性を制御するように支援することで、高音と低音及び場面と音声属性を複合的に制御するように支援する。
【００５９】
例えば、属性制御マトリックスインターフェース４２の中央に配置された「Ｎｏｒｍａｌ」領域を中心に、場面と関連する背景音楽やその他背景音等を強調しながら、該当の音を高音処理を所望する場合、各属性を引き継ぐ仮想の線分を軸に分けてマトリックス領域を４つの四分割面、すなわち右上側領域を第１四分割面として時計反対方向に第２、３、４四分割面で区分すれば、携帯端末機１００の使用者は、第２四分割面の特定領域を複合属性状態領域で設定することができる。
また使用者は、動画像ファイルのオーディオファイルの中で音声と関連する音をより高音で処理するよう所望する場合、第１四分割面の特定領域を複合属性状態領域４６で設定する。
ここで複合属性状態領域４６は、使用者が当該四分割面のマトリックス領域の中で特定領域をタッチして指定する動作で設定することができ、また入力部１２０等を用いて特定領域を設定して選択することができる。
以上で説明したように、本発明の実施形態による複合属性制御を支援する携帯端末機１００は、図３、図４、及び図５のように現在活性化されているアプリケーションプログラムと関連して特定オーディオ信号の属性を複合的に制御するように支援することができる。
【００６０】
図６は、本発明の一実施形態による画面複合属性制御を説明するための画面例示図である。
図６を参照すると、本発明の携帯端末機１００は、明るさ属性とコントラスト属性を複合的に制御することができる属性制御マトリックスインターフェース５２を出力する。
これをより詳細に説明すれば、使用者が特定のアプリケーションプログラム、例えば背景画面出力のためのアプリケーションプログラム、イメージ出力のためのアプリケーションプログラム、及び動画像出力のためのアプリケーションプログラム等を活性化するための入力信号を生成する場合、携帯端末機１００は、使用者の制御によって当該アプリケーションプログラムを活性化するように制御する。
【００６１】
それにより携帯端末機１００は、アプリケーションプログラム活性化によって背景画面、特定イメージ、又は特定動画像を表示部１４０に出力するように制御する。
この時、携帯端末機１００は現在活性化されているアプリケーションプログラムに定義された属性を複合的に制御するための属性制御アイコンを画面の一側に出力することができる。
携帯端末機１００の使用者は、画面に出力された属性制御アイコンを選択する入力信号を生成することができ、携帯端末機１００は属性制御アイコン選択によって符号５０１の画面と同じ特定属性を複合的に制御することができる属性制御マトリックスインターフェース５２を出力する。
【００６２】
特に、携帯端末機１００は、背景画面、イメージ又は動画像の属性の中で明るさとコントラストを同時に制御することができる属性制御マトリックスインターフェース５２を出力することができる。この工程で携帯端末機１００は、図に示すように現在活性化されているアプリケーションプログラムの現在設定された複合属性値を属性制御マトリックスインターフェース５２上に示すことができる。
例えば、現在定義された複合属性が初期値の場合、携帯端末機１００は、属性制御マトリックスインターフェース５２に「０」で指示された領域がハイライトされるように支援することができる。
【００６３】
一方、携帯端末機１００の使用者は、複合属性制御の中で最高のコントラスト比を有しながら最高の明るさを有するように調整するために属性制御マトリックスインターフェース５２の領域の中で右側角領域をタッチすることができる。
それにより携帯端末機１００は、符号５０３の画面のように使用者のタッチによって複合属性状態領域５６を属性制御マトリックスインターフェース５２の右側角領域で指定するように制御する。これと共に携帯端末機１００は、現在活性化されているアプリケーションプログラムの明るさ及びコントラストの複合属性を調整するように制御する。
【００６４】
携帯端末機１００は、複合属性制御が完了のための入力信号が発生すれば、現在活性化されているアプリケーションプログラムを支援する画面を表示部１４０に出力するか、上述した複合属性制御が適用された画面を出力するように制御する。
そして、携帯端末機１００は、複合属性調整が適用された画面の一側に属性制御アイコンを出力することができ、属性制御アイコンは新しい複合属性制御値の適用されたアイコンになることができる。
一方、携帯端末機１００は、複合属性制御値を画面の一側、例えば画面左側上端に出力するようにして現在設定された複合属性値を数字で認識するように支援することができる。
【００６５】
図７は、本発明の一実施形態による画面複合属性制御の他の例を説明するための画面例示図である。
図７を参照すると、携帯端末機１００は彩度と鮮明度を同時に調整することができる属性制御マトリックスインターフェース６２を出力する。
このために図６で説明したように携帯端末機１００は、現在活性化されているアプリケーションプログラム支援のための画面を出力し、この時、属性制御マトリックスインターフェース６２の出力のための属性制御アイコンを出力する。
携帯端末機１００は、属性制御アイコンを選択する入力信号が発生した場合、符号６０１の画面のように同様の彩度及び鮮明度属性を複合的に制御することができる属性制御マトリックスインターフェース６２を表示部１４０に出力する。
ここで属性制御マトリックスインターフェース６２は、現在活性化されているアプリケーションプログラムの複合属性値、例えば「０」値を示すことができる。
【００６６】
そして、使用者が属性制御マトリックスインターフェース６２の特定領域、例えば相対的に高い彩度と鮮明度を持つように設定された領域をタッチする場合、携帯端末機１００はタッチ領域を複合属性状態領域６６を設定し、当該領域に割り当てられた設定値を制御部１６０に伝達する。
それにより制御部１６０は、複合属性状態領域６６に割り当てられた設定値を確認し、当該設定値に基づいて現在活性化されているアプリケーションプログラムの彩度と鮮明度を適用するように制御する。そして携帯端末機１００は、彩度と鮮明度値を画面の一側に数字で示すことによって、使用者が設定した複合属性値を数字で認識するように支援することができる。
【００６７】
図６及び図７で説明したように本発明の実施形態による複合属性制御のための機能は、表示部１４０に出力される画面イメージの明るさ／コントラスト、及び彩度／鮮明度等の複合属性を使用者のタッチによって即時に修正及び適用するように支援することができる。
【００６８】
図８は、本発明の一実施形態によるカメラ機能属性制御を説明するための画面例示図である。
図８を参照すると、本発明の携帯端末機１００は、カメラ１７０の属性の中で画質と大きさ属性を制御することができる属性制御マトリックスインターフェース７２を表示部１４０に出力するように制御する。
このために携帯端末機１００は、カメラ１７０を含む。そして、使用者は携帯端末機１００を制御してカメラ１７０を活性化するための入力信号を生成する。
【００６９】
そして携帯端末機１００は、貯蔵部１５０に貯蔵されたカメラ運用のためのプログラムをロードし、カメラ１７０を活性化した後、カメラ１７０の活性化によるプレビュー画面を表示部１４０に出力するように制御する。
この工程で携帯端末機１００は、プレビュー画面の一側に複合属性制御を遂行するための属性制御マトリックスインターフェース７２を呼出することができる属性制御アイコンを出力することができる。
【００７０】
属性制御アイコンを選択するための入力信号又はタッチイベントが発生すれば、携帯端末機１００は、符号７０１の画面のように画質及び大きさ属性を複合的に制御することができる属性制御マトリックスインターフェース７２を表示部１４０に出力する。
ここで携帯端末機１００は、現在設定されたカメラ１７０の画質及び大きさ属性、例えば最高画質及び最大サイズに設定された状態を属性制御マトリックスインターフェース７２に複合属性状態領域７６で示すことができる。
【００７１】
また、携帯端末機１００は、現在設定された複合属性状態を画面の一側、例えば画面の左側上端に示すように「５．１Ｍ、ＨＱ」等のように出力して使用者が状態を文字で認識するように支援することができる。
また、携帯端末機１００は、画面の一側に現在設定された画質と大きさに基づいて撮影して貯蔵した写真の枚数を記載することができる。すなわち、携帯端末機１００は、貯蔵部１５０の残余空間を確認し、現在設定されたカメラの画質と大きさ設定によって貯蔵可能な写真の枚数値を画面の一側、例えば右側上端に示すように「０」で表示することができる。それにより使用者は現在設定された画質と大きさを用いて撮影して貯蔵することができる写真の枚数がないことを認識することができる。
【００７２】
一方、使用者が携帯端末機１００の画質と大きさ属性を制御するための入力信号又はタッチイベントを符号７０１の画面のように生成すれば、携帯端末機１００は、使用者のタッチイベント等によって選択された領域を複合属性状態領域７６として制御し、制御された値に基づき現在のカメラ１７０の画質及び大きさ属性を制御することができる。
すなわち、携帯端末機１００は、符号７０３の画面のように画質及び大きさ属性を「Ｎｏｒｍａｌ」状態として制御し、該当領域をハイライトすることで複合属性状態領域７６を指定したことを示す。
そして携帯端末機１００は、「Ｎｏｒｍａｌ」状態によって指定された制御値を画面の一側、例えば左側上端に「１．３Ｍ、Ｎｏｒｍａｌ」として示す調整値を文字で認識するように支援することができる。
また、携帯端末機１００は、現在設定された画質及び大きさ属性値によって貯蔵可能な写真の枚数を示すように「５」で表示することができる。それにより使用者は画面の一側に出力された値を通じて現在設定された画質と大きさに基づいて撮影して貯蔵することができる写真の枚数が５枚で追加されたことを分かることができる。
【００７３】
図９は、本発明の一実施形態によるカメラ機能属性制御の他の例を説明するための画面例示図である。
図９を参照すると、本発明の携帯端末機１００は、カメラ１７０の属性の中でホワイトバランスとＥＶ（電子露出）属性を複合的に制御することができる属性制御マトリックスインターフェース８２を出力する。
このために図７でも説明したように携帯端末機１００は、カメラ１７０を活性化してカメラ１７０の活性化による画面を表示部１４０に出力するように制御する。
【００７４】
そして、属性制御マトリックスインターフェース８２の呼出のための入力信号又はタッチイベントが生成すれば、携帯端末機１００は、符号８０１の画面のようにホワイトバランスとＥＶ属性を複合制御することができる属性制御マトリックスインターフェース８２を出力する。
ここで符号８０１の画面における属性制御マトリックスインターフェース８２は、ホワイトバランスに対して多様な形態の条件を選択することができるアイコンを含む領域を出力することができる。すなわち、属性制御マトリックスインターフェース８２は、水平軸にホワイトバランスに対して、自動（Ａｕｔｏ）、「Ｄａｙｌｉｇｈｔ」、「Ｃｌｏｕｄｙ」、「Ｔｕｎｇｓｔｅｎ」、「Ｆｌｕｏｒｅｓｃｅｎｔ」の属性選択値を有し、垂直軸にＥＶの高低を調節することができる属性値を示すことができる。
【００７５】
符号８０１の画面と同様の属性制御マトリックスインターフェース８２が出力された状態で、使用者は「Ｄａｙｌｉｇｈｔ」ホワイトバランス属性と、Ｎｏｒｍａｌ状態より高く、Ｈｉｇｈ状態より低いＥＶ値を選択するために示すような領域をタッチすることができる。携帯端末機１００は、特定領域をタッチするタッチイベントが生成すれば、符号８０３の画面のようにタッチイベントが発生した領域を複合属性状態領域８６として制御し、制御された領域に設定された属性値を現在のカメラ１７０の属性値として適用するように制御する。
一方、携帯端末機１００は、以前に設定された状態のホワイトバランス及びＥＶ属性を文字やアイコン形態で画面左側状態に出力した状態で、新しい制御値が発生すれば、発生されたホワイトバランス及びＥＶ属性値を該当の領域上で更新して表示されるように制御する。この工程で携帯端末機１００は、現在設定されたホワイトバランス及びＥＶ値に従って又はその他カメラ１７０の属性設定に従って撮影して貯蔵することができる写真の枚数を示すように画面の一側に一定の数字、例えば「５」で示すように制御することができる。
【００７６】
図１０は、本発明の一実施形態による複数個の複合属性を選択的に運用することができる機能を説明するための画面例示図である。
図１０を参照すると、本発明の携帯端末機１００は、特定のアプリケーションプログラム、例えば動画像再生又はイメージ再生の画面を表示部１４０に出力する。
この時、表示部１４０に出力される画面は、符号９０１の画面のように属性制御マトリックスインターフェース呼出のための属性制御アイコン９０を含む。
又は、携帯端末機１００は動画像再生又はイメージ再生が遂行されている状態で別途の入力信号又は特定タッチイベントによって属性制御アイコン９０を表示部１４０に出力することができる。
【００７７】
属性制御アイコン９０を選択するための信号が発生すれば、携帯端末機１００は、現在活性化にされているアプリケーションプログラムに定義された複合属性が単数個なのか、又は複数個なのか確認する。
ここで携帯端末機１００は、複合属性が単数個の場合、符号９０５の画面及び上記で説明した図３〜図８のように属性制御マトリックスインターフェースを表示部１４０に出力するように制御する。
一方、携帯端末機１００は、複合属性が複数個の場合、符号９０３の画面のように複数個の複合属性中のいずれか１つを選択することができるメニュー画面又はポップアップ画面を出力する。
例えば、携帯端末機１００は、明るさ／コントラスト、彩度／鮮明度の複合属性中のいずれか１つを選択することができる画面を表示部１４０に出力する。
【００７８】
使用者が彩度／鮮明度の複合属性を制御するために該当メニュー項目を選択した場合、携帯端末機１００は、符号９０５の画面のように彩度／鮮明度制御のための属性制御マトリックスインターフェースを表示部１４０に出力するように制御する。
上述した説明では明るさ／コントラスト、彩度／鮮明度の複合属性中のいずれか１つを選択することができる符号９０３の画面が出力されることを例で説明したが、本発明がここに限定されることではない。すなわち、携帯端末機１００は現在活性化されたアプリケーションプログラムがカメラ運用プログラムの場合、カメラ１７０の多様な属性の中で複合属性を制御するようにメニュー画面を出力することもできる。
【００７９】
言い換えれば、携帯端末機１００は、画質／大きさ、ホワイトバランス／ＥＶ複合属性中のいずれか１つを選択することができるメニュー画面を出力することができ、使用者の選択によって図７及び図８に示す属性制御マトリックスインターフェースを表示部１４０に出力するように制御することができる。
そして、上述した説明で画面の明るさ／コントラスト、彩度／鮮明度の属性制御をイメージと動画像と関連して説明したが、このような複合属性をカメラ属性制御にも適用することができる。これによってカメラ１７０の機能の複合属性制御の際、複合属性中のいずれか１つを選択するように支援するメニュー画面は、画質／大きさ、ホワイトバランス／ＥＶ、明るさ／コントラスト、彩度／鮮明度の複合属性中のいずれか１つを選択するように項目を含むことができる。
【００８０】
ところで、図３〜図９で説明した属性制御マトリックスインターフェースに対して要約すれば、属性制御マトリックスインターフェースは、図３及び図４で説明した高音と低音属性制御軸、及び楽器とボーカル属性制御軸を含むマトリックス、図５で説明した高音と低音属性制御軸、及び場面と音声制御軸を含むマトリックス、図６で説明した明るさ属性制御軸、及びコントラスト属性制御軸を含むマトリックス、図７で説明した彩度属性制御軸、及び鮮明度制御軸を含むマトリックス、図８で説明した画質制御軸及び大きさ制御軸を含むマトリックス、図９で説明したホワイトバランス制御軸、及び電子露出制御軸を含むマトリックスを、該当のアプリケーションプログラムの活性化及び使用者の選択によってこれらを含んで出力することができる。
【００８１】
また、上述した説明では属性制御アイコンを画面の一側に出力して属性制御マトリックスインターフェースを呼出する構成として説明したが、本発明がここに限定されない。すなわち、携帯端末機１００は入力部の中で特定キーに属性制御マトリックスインターフェースを呼出することができる機能を割り当ててホットキーとして構成することができる。
また、携帯端末機１００は、タッチパネル１４３から入力される特定タッチイベントによって属性制御マトリックスインターフェースを呼出するように支援することもできる。
【００８２】
上述したように本発明の一実施形態による複合属性制御機能は、現在活性化されているアプリケーションプログラムの種類を判断し、当該アプリケーションプログラムに定義された複合属性の個数を確認することができる。そして、本発明の複合属性制御機能は複合属性の個数によってメニュー画面を出力するとか特定複合属性制御のための属性制御マトリックスインターフェースを表示部１４０に即時に出力するように制御することができる。これによって使用者は、多様なアプリケーションプログラムの多様な複合属性を、より簡単でかつ便利に制御することができ、制御された値を現在活性化されているアプリケーションプログラムにリアルタイムで適用することで、制御された値がどんな作用をするのか、容易に判断することができる。
【００８３】
一方、上述した携帯端末機１００は、その提供形態によって多様な追加モジュールをさらに含むことができる。すなわち、携帯端末機１００は通信端末機の場合、近距離通信のための近距離通信モジュール、携帯端末機１００の有線通信方式又は無線通信方式によるデータ送受信のためのインターフェース、インターネットネットワークと通信してインターネット機能を遂行するインターネット通信モジュール及びデジタル放送受信と再生機能を遂行するデジタル放送モジュール等のように上記で言及しない構成をさらに含むこともできる。
【００８４】
このような構成要素は、デジタル器機のコンバージェンス（ｃｏｎｖｅｒｇｅｎｃｅ）趨勢によって変形が非常に多様であるので、全部列挙することはできないが、上記言及された構成要素と同等の水準の構成要素がデバイスに追加でさらに含まれて構成することができる。
また、本発明の携帯端末機１００は、その提供形態によって上記の構成で特定構成が除かれるとか他の構成で代替されることもできることは勿論である。これは本技術分野の通常の知識を有する者には容易に理解されることである。
【００８５】
また、本発明の一実施形態による携帯端末機１００は、複合属性制御のための属性制御マトリックスインターフェースを表示部に出力することができるすべての形態のデバイスを含むことができる。
例えば、携帯端末機１００は、多様な通信システムに対応される通信プロトコルに基づいて動作するすべての移動通信端末機（ｍｏｂｉｌｅ  ｃｏｍｍｕｎｉｃａｔｉｏｎ  ｔｅｒｍｉｎａｌｓ）を始めて、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノートブック（Ｎｏｔｅｂｏｏｋ）及びハンドヘルドＰＣ等すべての情報通信機器とマルチメディア機器及びそれに対する応用機器を含むことができる。
【００８６】
また、本発明の実施形態による方法は、ネットワークを通じてダウンロードやマグネチック光ディスク又はハードディスクやプロッピィー（登録商標）ディスク、ＲＡＭ、ＣＤ  ＲＯＭのような貯蔵媒体に貯蔵されることができるソフトウェアやコンピュータコード、ハードウェア等に具現することができる。
特に、本発明に記載した方法は、ソフトウェアやＡＳＩＣ、ＦＰＧＡのようなプログラマブル又は専用ハードウェアや特定プロセッサや汎用コンピュータに使用されるソフトウェアによって具現することができる。ここでコンピュータ、プロセッサ又はプログラマブルハードウェアは、上述した方法を処理するためのハードウェア、プロセッサコンピュータによってアクセスされ実行される時、ソフトウェア又はコンピュータコードを受信するとか貯蔵することができるＲＡＭ、ＲＯＭ、フラッシュ等のようなメモリーコンポーネントを含む。上記コードは汎用コンピュータにロードされ、汎用コンピュータから他の特殊目的コンピュータに送信するとか、その一部が専用に処理されることができるように構成することができる。
【００８７】
本明細書と図面を通じて本発明の好ましい実施形態に対して説明した。
本発明は、上記の実施形態に限定されることなく、本発明が属する分野における通常の知識を有する者であれば、このような実施形態から多様な修正及び変形が可能である。
したがって、本発明の範囲は、開示された実施形態に限定して定められるものではなく、特許請求の範囲及び特許請求の範囲と均等なものなどによって定められるものである。
【符号の説明】
【００８８】
１００    携帯端末機
１１０    無線周波数部
１２０    入力部
１３０    オーディオ処理部
１４０    表示部
１４１    表示パネル
１４３    タッチパネル
１５０    貯蔵部
１６０    制御部
１７０    カメラ
３０ａ、３０ｂ、４０、９０    属性制御アイコン
３２、４２、５２、６２、７２、８２    属性制御マトリックスインターフェース
【図１】
2013542479.tif 000003
【図２】
2013542479.tif 000004
【図３】
2013542479.tif 000005
【図４】
2013542479.tif 000006
【図５】
2013542479.tif 000007
【図６】
2013542479.tif 000008
【図７】
2013542479.tif 000009
【図８】
2013542479.tif 000010
【図９】
2013542479.tif 000011
【図１０】
2013542479.tif 000012
【国際調査報告】
2013542479.tif 000013
2013542479.tif 000014
2013542479.tif 000015
2013542479.tif 000016
2013542479.tif 000017
2013542479.tif 000018
2013542479.tif 000019
2013542479.tif 000020
2013542479.tif 000021
2013542479.tif 000022